(57)【要約】【課題】がたつきがなく、より太いケーブルに対応でき、つまみの操作を短時間で行うことができ、より高級感のある端子コネクタを提供すること。【解決手段】筒状部１１の上部に、コンタクト１５が進退自在に嵌合するガイド筒部３４を一体に設け、ベース金具２７は、上部を開口し、下部を底板部３０とし、内壁にねじ孔２８を形成した導電性金属筒からなり、このベース金具２７を筒状部１１の内壁側に一体に固着するとともに、側方にケーブル差し込み口２９を開口し、このベース金具２７のねじ孔２８とコンタクト１５の外壁に形成したねじ部１７とを進退自在に螺合し、ケーブル差し込み口２９に連通し、かつ、コンタクト１５の下端の圧接面３３とベース金具２７の底板部３０の上端面との空間をケーブル取り付けスペース２０とする。【選択図】　図１
2004127823.tif 000002
【特許請求の範囲】
【請求項１】
ハウジング１０の筒状部１１の内部で、つまみ１９のコンタクト１５を螺合し、前記ハウジング１０のベース金具２７と前記コンタクト１５とで筒状部１１のケーブル差し込み口１２から挿入したケーブル３２を押圧接続するようにした端子コネクタにおいて、前記筒状部１１の上部に、前記コンタクト１５が進退自在に嵌合するガイド筒部３４を一体に設け、前記筒状部１１の内壁側に設けたねじ孔２８と前記コンタクト１５の外壁側に設けたねじ部１７とを螺合し、前記ケーブル差し込み口１２に連通し、かつ、前記コンタクト１５の下端の圧接面３３と前記ベース金具２７の底板部３０の上端面との空間をケーブル取り付けスペース２０としたことを特徴とする端子コネクタ。
【請求項２】
ハウジング１０の筒状部１１の内部で、つまみ１９のコンタクト１５を螺合し、前記ハウジング１０のベース金具２７と前記コンタクト１５とで筒状部１１のケーブル差し込み口１２から挿入したケーブル３２を押圧接続するようにした端子コネクタにおいて、前記筒状部１１の上部に、前記コンタクト１５が進退自在に嵌合するガイド筒部３４を一体に設け、前記ベース金具２７は、上部を開口し、下部を底板部３０とし、内壁にねじ孔２８を形成した導電性金属筒からなり、このベース金具２７を筒状部１１の内壁側に一体に固着するとともに、側方に前記ケーブル差し込み口１２に連通するケーブル差し込み口２９を開口し、このベース金具２７のねじ孔２８とコンタクト１５の外壁に形成したねじ部１７とを進退自在に螺合し、前記ケーブル差し込み口１２とケーブル差し込み口２９に連通し、かつ、前記コンタクト１５の下端の圧接面３３と前記ベース金具２７の底板部３０の上端面との空間をケーブル取り付けスペース２０としたことを特徴とする端子コネクタ。
【請求項３】
ハウジング１０の筒状部１１の内部で、つまみ１９のコンタクト１５を螺合し、前記ハウジング１０のベース金具２７と前記コンタクト１５とで筒状部１１のケーブル差し込み口１２から挿入したケーブル３２を押圧接続するようにした端子コネクタにおいて、前記筒状部１１の上部に、前記コンタクト１５の進退自在に嵌合するガイド筒部３４を一体に設け、前記筒状部１１の内壁であって、前記ケーブル差し込み口１２のやや上部にナット３７を設け、このナット３７のねじ孔２８と前記コンタクト１５の外壁側に設けたねじ部１７とを進退自在に螺合し、前記ケーブル差し込み口１２に連通し、かつ、前記コンタクト１５の下端の圧接面３３と前記ベース金具２７の上面との空間をケーブル取り付けスペース２０としたことを特徴とする端子コネクタ。
【請求項４】
ハウジング１０の筒状部１１の内部で、つまみ１９のコンタクト１５を螺合し、前記ハウジング１０のベース金具２７と前記コンタクト１５とで筒状部１１のケーブル差し込み口１２から挿入したケーブル３２を押圧接続するようにした端子コネクタにおいて、前記筒状部１１に上方へ一体に延びたガイド筒部３４を設け、前記コンタクト１５の外周につまみ内筒４１を固定的に被せ、前記ガイド筒部３４の内壁に設けたねじ孔２８と前記つまみ内筒４１の外壁に設けたねじ部１７とを進退自在に螺合し、前記つまみ内筒４１の外周に前記ガイド筒部３４の進退空間のガイド溝３５を介在してつまみ１９を固着し、前記ケーブル差し込み口１２に連通し、かつ、前記コンタクト１５の下端の圧接面３３と前記ベース金具２７の上面との間をケーブル取り付けスペース２０としたことを特徴とする端子コネクタ。
【請求項５】
コンタクト１５の下端の圧接面３３に、接触抵抗を高める凹凸を形成したことを特徴とする請求項１〜４記載の端子コネクタ。
【請求項６】
ガイド筒部３４の外壁部の上端部に外向きに抜け止め係止部３８を形成し、つまみ１９の内壁の下端部に内向きに前記抜け止め係止部３８と係脱する抜け止め係止部３９を形成したことを特徴とする請求項１〜３記載の端子コネクタ。
【発明の詳細な説明】
【０００１】
【発明の属する技術分野】
本発明は、音響機器、ＴＶ等におけるスピーカーターミナル、その他の電気信号の入出力に用いられる端子コネクタに関するものである。
【０００２】
【従来の技術】
従来の端子コネクタは、特開２００１−８５０８０号公報、特開２００１−８５１１９号公報などに記載されている。
これらの端子コネクタは、図４（ａ）（ｂ）に示すように、ハウジング１０の上面に筒状部１１が一体に設けられ、この筒状部１１の片側又は両側にケーブル差し込み口１２が設けられている。前記筒状部１１の上端部内側には、抜け止め係止部３８が一体に突出して形成され、つまみ１９の下端外向きの抜け止め係止部３９とにより抜け止め手段が構成されている。又、前記筒状部１１の中心部には、ターミナル１４を下面から挿入可能な貫通孔１３が穿設されている。
この貫通孔１３の下方には、前記ターミナル１４の端子部２２を嵌め込み固定するための複数個の挿入溝４０がそれぞれ形成され、この挿入溝４０の内部にターミナル１４の係止爪３６が係止している。また、ターミナル１４の中心部を下向き筒状に膨出させて内側にねじ孔１６を形成している。
【０００３】
前記コンタクト１５は、上端部の筒状に開口したプラグ接続部２３と中間部の鍔部１８と下端部のねじ部１７とが導電性金属材料を用いて冷間鍛造等により一体に形成し、このうちプラグ接続部２３と鍔部１８をプラスチックなどの絶縁性材料からなるつまみ１９で被覆したもので、このつまみ１９の直径は、絶縁性基板１０の下面から嵌合できるように前記抜け止め係止部３８よりやや小さくし、かつ、このつまみ１９の下端部には、貫通孔１３より小さくて抜け止め係止部３８よりやや大きな直径をなすように外方へ突出した抜け止め係止部３９が一体に形成されている。又、ターミナル１５のねじ部１７の下端部には、小径部４２が形成されている。
【０００４】
前記端子板１４は、導電性金属板からなり、中心部を下向き筒状に膨出させて内側にねじ孔１６を形成し、左右を下方へ折曲して係止片２１を形成し、この係止片２１の左右両端部に外方へ切り起こした係止爪３６を形成し、さらに、前記一方の係止片２１を一体にＬ字形に折曲して端子部２２を形成したものである。
【０００５】
このような構成において、つまみ１９を逆方向に回して図４（ｂ）のように、鍔部１８の下面とターミナル１４の上面との間のねじ部１７の周りにケーブル取り付けスペース２０を形成する。そして、ケーブル差し込み口１２からケーブル３２を挿入すると、ケーブル取り付けスペース２０の内壁に案内されねじ部１７の外周に沿って屈曲する。つまみ１９を正方向に回してねじ部１７をねじ孔１６にねじ込んでケーブル３２を押圧接続する。
【０００６】
【発明が解決しようとする課題】
以上のような端子コネクタにおいて、つまみ１９を正又は逆方向にまわして上下してケーブル取り付けスペース２０を形成し、また、ケーブル３２の挿入後はケーブル３２を鍔部１８とターミナル１４との間で押圧接続するものであり、ケーブル取り付けスペース２０を十分な大きさとするには、それだけねじ部１７の直径が小さくなる。このため、以下のような問題があった。
（１）つまみ１９を逆方向に回して、つまみ１９を緩めてゆくときに、ねじ部１７の直径が小さいため、つまみ１９のがたつきが大きくなる。この種の端子コネクタでは、ねじ式タイプは、高級品のセットに使用され、がたつきのないものが求められている。
（２）筒状部１１の内側のケーブル取り付けスペース２０に、ねじ部１７が心棒として存在しているため、そのぶんだけケーブル取り付けスペース２０が狭くなる。ケーブル３２には、より太いものが要望されているが、従来品ではこのようなより太いケーブル３２に対応することができない。
（３）ねじ部１７の直径が小さいため、ねじ部１７のねじ山のピッチが小さくなって、つまみ１９を締めたり、緩めたりするのにつまみ１９をまわす回数が多くなり、時間がかかりすぎる。
【０００７】
本発明は、がたつきがなく、より太いケーブル３２に対応でき、つまみ１９を締めたり、緩めたりするのを短時間で行うことができ、より高級感のある端子コネクタを提供することを目的とするものである。
【０００８】
【課題を解決するための手段】
本発明は、ハウジング１０の筒状部１１の内部で、つまみ１９のコンタクト１５を螺合し、前記ハウジング１０のベース金具２７と前記コンタクト１５とで筒状部１１のケーブル差し込み口１２から挿入したケーブル３２を押圧接続するようにした端子コネクタにおいて、前記筒状部１１の上部に、前記コンタクト１５が進退自在に嵌合するガイド筒部３４を一体に設け、前記ベース金具２７は、上部を開口し、下部を底板部３０とし、内壁にねじ孔２８を形成した導電性金属筒からなり、このベース金具２７を筒状部１１の内壁側に一体に固着するとともに、側方に前記ケーブル差し込み口１２に連通するケーブル差し込み口２９を開口し、このベース金具２７のねじ孔２８とコンタクト１５の外壁に形成したねじ部１７とを進退自在に螺合し、前記ケーブル差し込み口１２とケーブル差し込み口２９に連通し、かつ、前記コンタクト１５の下端の圧接面３３と前記ベース金具２７の底板部３０の上端面との空間をケーブル取り付けスペース２０としたことを特徴とする端子コネクタである。
【０００９】
つまみ１９を緩めると、コンタクト１５が次第に上昇する。このとき、コンタクト１５とベース金具２７との螺合部分がつまみ１９の全体の直径に比較して十分大きな径を有するので、がたつきがほとんどなく、つまみ１９を緩めることができ、安定した高級感のある動作となる。この状態では、コンタクト１５の圧接面３３とベース金具２７の底板部３０との間には、心棒のない大きな空間からなるケーブル取り付けスペース２０が形成される。
このスペース２０にケーブル３２をケーブル差し込み口１２、２９を通して差し込み、つまみ１９を締めると、ケーブル３２が圧接面３３と底板部３０との間で挟みつけられ、電気的にターミナル１４に押圧接続される。
【００１０】
【発明の実施の形態】
本発明による端子コネクタは、絶縁性ハウジング１０の上面の筒状部１１の内壁にねじ孔２８を形成し、かつ、つまみ１９の外壁にねじ部１７を形成することで、つまみ１９を筒状部１１内で上下するようにし、つまみ１９を緩めたとき、ケーブル３２を挿入接続するケーブル取り付けスペース２０には、心棒のない構造としたものである。
筒状部１１の内壁にねじ孔２８を形成するには、第１実施例として、筒状部１１の内側にベース金具２７を嵌め込み、このベース金具２７の内側にねじ孔２８を形成し、また、コンタクト１５の外壁に直接ねじ部１７を形成する。
第２実施例では、筒状部１１の内壁にねじ孔２８を形成するのに、市販のナット３７を嵌め込んでこのナット３７のねじ孔をねじ孔２８として利用する。
【００１１】
このような構成において、つまみ１９を逆方向に回すと、つまみ１９が筒状部１１の内側に螺合しつつ上昇し、ケーブル取り付けスペース２０とターミナル１４との間には、心棒のない状態で広い空間が形成される。筒状部１１のケーブル差し込み口１２からケーブル取り付けスペース２０内にケーブル３２を挿入してターミナル１４の上面とコンタクト１５の下面の圧接面３３とで押圧接続する。つまみ１９の上下動は、筒状部１１の内壁のねじ孔２８とつまみ１９の外壁のねじ部１７とが大きな直径を持って螺合するので、がたつくことがない。
【００１２】
【実施例】
本発明による端子コネクタの第１実施例を図１（ａ）（ｂ）（ｃ）に基づき説明する。
なお、従来例を示す図４と同一部分については同一符号を付ける。
図１において、絶縁性のハウジング１０の上面には、筒状部１１が一体に又は別体に設けられ、この筒状部１１の上部には、筒状部１１よりやや小径のガイド筒部３４が一体に設けられ、このガイド筒部３４内を後述するコンタクト１５が進退するように設けられている。このガイド筒部３４の上端部外側には、抜け止め係止部３８が一体に突出して形成されている。
【００１３】
前記筒状部１１の片側又は両側には、ケーブル３２の差し込まれるケーブル差し込み口１２が設けられている。この筒状部１１の内側には、上部を開口した導電性金属の筒からなるベース金具２７が固定的に嵌め込まれている。このベース金具２７には、内壁にねじ孔２８が形成されるとともに、側部に前記ケーブル差し込み口１２と連通するケーブル差し込み口２９が形成されている。また、このベース金具２７の内部がケーブル取り付けスペース２０を形成し、底板部３０の少し窪んだ面がケーブル３２との押圧接続部分となる。さらに、この底板部３０の下端部から加締め部３１が一体に延び、ハウジング１０の貫通孔１３を貫通し、ハウジング１０の下面でターミナル１４と一体に加締めて電気的に導通しつつ固定されている。
【００１４】
前記コンタクト１５は、導電性金属材料からなり、下半部の外壁にねじ部１７が形成され、下端部にねじ部１７よりわずかに小さな小径部４２が形成され、この小径部４２の下面には、（ｃ）に示すように、十文字状、螺旋状などの複数の小さな溝や梨地面、凹凸面などのように表面積を多くし、接触抵抗を高める圧接面３３が形成され、さらに、上端から円形穴のプラグ接続部２３が穿設されている。このコンタクト１５の外周は、プラスチックなどの絶縁性材料からなるつまみ１９で被覆され、このつまみ１９の上端中央にプラグ挿入口２６が穿設され、前記コンタクト１５が加締めて固着されている。また、このコンタクト１５の外壁とつまみ１９の内壁との間には、前記ガイド筒部３４が進退するガイド溝３５が形成されている。このガイド溝３５に臨ませた状態で、つまみ１９の下端部内側に、前記抜け止め係止部３８と係止して抜け止めとなる抜け止め係止部３９が形成されている。
【００１５】
次に、このような構成における作用を説明する。
図１（ａ）のようにつまみ１９が締められた状態から、つまみ１９を逆方向に回すと、ベース金具２７のねじ孔２８に螺合しているコンタクト１５のねじ部１７が次第に上昇する。このとき、コンタクト１５の圧接面３３とベース金具２７の底板部３０とは、つまみ１９の全体の直径に比較して十分大きな径を有するので、つまみ１９を緩めるときのがたつきがほとんどなくなり、安定した高級感のある動作となる。ねじ孔２８とねじ部１７がほとんど外れた状態になると、抜け止め係止部３８に抜け止め係止部３９が係止し、それ以上つまみ１９を逆方向に回してもつまみ１９が上昇することはない。この状態では、コンタクト１５の圧接面３３とベース金具２７の底板部３０との間には、心棒のない大きな空間からなるケーブル取り付けスペース２０が形成される。
【００１６】
ここで、ケーブル３２をケーブル差し込み口１２、２９を通して差し込み、つまみ１９を正方向に回すと、つまみ１９と一体にコンタクト１５が下降し、ケーブル３２が圧接面３３と底板部３０との間で挟みつけられ、ケーブル３２は、電気的にターミナル１４に押圧接続される。また、ケーブル３２は、底板部３０の上で圧接面３３が捻られることによってより確実に接触し、かつ、底板部３０の窪み部分の周縁の段差部分でケーブル３２が折り曲げられて抜け出ることを防いでいる。
【００１７】
本発明による端子コネクタの第２実施例を図２（ａ）（ｂ）に基づき説明する。
第１実施例では、ベース金具２７の上半分を上端開口した導電性金属筒とし、このベース金具２７の内壁にねじ孔２８を形成した。そのため、ベース金具２７のねじ孔２８の加工やケーブル差し込み口２９の加工にやや手間がかかる。
そこで、第２実施例では、筒状部１１の成型時に、ケーブル取り付けスペース２０の上部に位置して汎用のナット３７を一体に埋め込み、かつ、下部に位置して金属筒のないベース金具２７を埋め込んで構成している。この場合、ベース金具２７は、その底板部３０の上面を単に平坦にするか、窪みや凹凸面を形成するだけでよい。
【００１８】
このように、第２実施例では、筒状部１１のナット３７に、コンタクト１５のねじ部１７を螺合してつまみ１９の上下動を行うようにしたものである。ケーブル３２の着脱作用は、第１実施例と変わるところはないが、汎用のナット３７を使用することで、部品製造のコストの低減が図れる。
なお、プラグ接続部２３にバナナプラグ２４を差し込み接続する場合には、ナット３７とベース金具２７が筒状部１１を介して絶縁されているので、図２（ａ）のように、つまみ１９を締めこんで圧接面３３と底板部３０が接触している状態であることが必要である。
逆に、プラグ接続部２３にバナナプラグ２４を差し込んだままでもつまみ１９を緩めて圧接面３３と底板部３０とを離した状態とすることでバナナプラグ２４を抜かずに電気的に開放することができる。
【００１９】
本発明による端子コネクタの第３実施例を図３（ａ）（ｂ）に基づき説明する。
第１実施例では、ベース金具２７の上半分を上端開口した導電性金属筒とし、このベース金具２７の内壁にねじ孔２８を形成した。また、第２実施例では、筒状部１１の成型時に、ケーブル取り付けスペース２０の上部に位置して汎用のナット３７を一体に埋め込んで構成した。
これに対し、第３実施例では、筒状部１１と一体のガイド筒部３４の内壁に直接ねじ孔２８を形成し、また、つまみ１９側には、コンタクト１５の外周とつまみ１９の内周との間につまみ内筒４１を固着し、このつまみ内筒４１にねじ部１７を形成したものである。そして、ガイド筒部３４のねじ孔２８とつまみ内筒４１のねじ部１７とを螺合したものである。ケーブル３２の着脱作用は、第１実施例と変わるところはない。
【００２０】
なお、コンタクト１５の下端部の圧接面３３は、つまみ内筒４１の外形よりやや直径を大きくした鍔部１８とすることにより、筒状部１１とガイド筒部３４の内部の段差に係止せしめることで、抜け止め係止部３８と抜け止め係止部３９を形成する必要がなくなる。
前記ターミナル１４は、その外周の２〜３箇所に嵌合爪４３を一体に折り曲げて形成することで、コンタクト１５の鍔部１８を嵌合してケーブル３２の抜け止めをより確実にする。
前記つまみ１９は、つまみ内筒４１の外側に一体に被せるようにしたが、このような構成において、つまみ１９を透明又は半透明の材料で構成し、つまみ内筒４１を、例えば、プラスなら赤、マイナスなら黒のように色分けすることができる。また、端子コネクタは、一般に、４個、８個など複数個を所定間隔で取り付ける場合が多いので左、右、中央などの区別を赤、青、緑、グレー、黒、黄色、などの色分けとすることもできる。
【００２１】
また、つまみ１９の上端のプラグ挿入口２６に臨ませて、バナナプラグ２４の挿入を防止する蓋４５を設けることにより、目的外のプラグの挿入を防止し、バナナプラグ２４を挿入する場合に切り取り溝４４から破壊して蓋４５を除去するように構成することができる。このような構成は、プラグ接続部２３の上端の加締め工程がないものに限られる。
【００２２】
前記第１実施例と第２実施例では、ベース金具２７とターミナル１４とを分離して形成して、組み立て時に結合するようにした。このような２部品構成とすることで、ベース金具２７に金メッキを施し、ターミナル１４に半田メッキとするなどこれらの２部品のカスタマイズが可能となる。
【００２３】
【発明の効果】
請求項１記載の発明によれば、筒状部１１の上部に、コンタクト１５が進退自在に嵌合するガイド筒部３４を一体に設け、筒状部１１の内壁側に設けたねじ孔２８とコンタクト１５の外壁側に設けたねじ部１７とを螺合し、ケーブル差し込み口１２に連通し、かつ、コンタクト１５の下端の圧接面３３と前記ベース金具２７の底板部３０の上端面との空間をケーブル取り付けスペース２０としたので、ねじ部が心棒として存在しなくなり、ケーブル取り付けスペース２０を十分な大きさとすることができ、太いケーブル３２に対応できる。ねじ部１７の直径をつまみ１９の直径に近い太さに形成できるため、がたつきのないものが得られ、高級品のセットに使用できるとともに、コンタクト１５の上下動に伴うケーブル３２の着脱動作をすばやく行うことができる。。
【００２４】
請求項２記載の発明によれば、筒状部１１の上部に、コンタクト１５が進退自在に嵌合するガイド筒部３４を一体に設け、ベース金具２７は、上部を開口し、下部を底板部３０とし、内壁にねじ孔２８を形成した導電性金属筒からなり、このベース金具２７を筒状部１１の内壁側に一体に固着するとともに、側方に前記ケーブル差し込み口１２に連通するケーブル差し込み口２９を開口し、このベース金具２７のねじ孔２８とコンタクト１５の外壁に形成したねじ部１７とを進退自在に螺合し、ケーブル差し込み口１２とケーブル差し込み口２９に連通し、かつ、コンタクト１５の下端の圧接面３３とベース金具２７の底板部３０の上端面との空間をケーブル取り付けスペース２０としたので、筒状部１１にベース金具２７を組み込むのに、モールド成型加工によって製造でき、組み立てが簡単になる。
【００２５】
請求項３記載の発明によれば、筒状部１１の上部に、コンタクト１５の進退自在に嵌合するガイド筒部３４を一体に設け、筒状部１１の内壁であって、ケーブル差し込み口１２のやや上部にナット３７を設け、このナット３７のねじ孔２８とコンタクト１５の外壁側に設けたねじ部１７とを進退自在に螺合し、ケーブル差し込み口１２に連通し、かつ、コンタクト１５の下端の圧接面３３とベース金具２７の上面との空間をケーブル取り付けスペース２０としたので、コンタクト１５のねじ部１７と螺合するねじ孔２８は、市販のナット３７を使用し筒状部１１にモールド成型加工するだけで製造でき、部品コストを大幅に低減できる。
【００２６】
請求項４記載の発明によれば、筒状部１１に上方へ一体に延びたガイド筒部３４を設け、コンタクト１５の外周につまみ内筒４１を固定的に被せ、ガイド筒部３４の内壁に設けたねじ孔２８とつまみ内筒４１の外壁に設けたねじ部１７とを進退自在に螺合し、つまみ内筒４１の外周にガイド筒部３４の進退空間のガイド溝３５を介在してつまみ１９を固着し、ケーブル差し込み口１２に連通し、かつ、コンタクト１５の下端の圧接面３３とベース金具２７の上面との間をケーブル取り付けスペース２０としたので、つまみ１９は、つまみ内筒４１の外側に一体に被せることにより、つまみ１９を透明又は半透明の材料で構成し、つまみ内筒４１を、例えば、プラスなら赤、マイナスなら黒のように色分けすることができる。また、端子コネクタは、一般に、４個、８個など複数個を所定間隔で取り付ける場合が多いので左、右、中央などの区別を赤、青、緑、グレー、黒、黄色、などの色分けとすることもできる。
【００２７】
請求項５記載の発明によれば、コンタクト１５の下端の圧接面３３に、接触抵抗を高める凹凸を形成したので、ケーブル３２の押圧接続が確実に行われる。
【００２８】
請求項６記載の発明によれば、ガイド筒部３４の外壁部の上端部に外向きに抜け止め係止部３８を形成し、つまみ１９の内壁の下端部に内向きに抜け止め係止部３８と係脱する抜け止め係止部３９を形成したので、つまみ１９を緩めすぎてもつまみ１９が抜け出ることから防止できる。
【図面の簡単な説明】
【図１】本発明による端子コネクタの第１実施例を示すもので、（ａ）は、つまみ１９を締め付けた状態の断面図、（ｂ）は、つまみ１９を緩めた状態の断面図、（ｃ）は、コンタクト１５の圧接面３３の底面図である。
【図２】本発明による端子コネクタの第２実施例を示すもので、（ａ）は、つまみ１９を締め付けた状態の断面図、（ｂ）は、つまみ１９を緩めた状態の断面図である。
【図３】本発明による端子コネクタの第３実施例を示すもので、（ａ）は、つまみ１９を締め付けた状態の断面図、（ｂ）は、つまみ１９を緩めた状態の断面図である。
【図４】従来の端子コネクタを示すもので、（ａ）は、つまみ１９を締め付けた状態の断面図、（ｂ）は、つまみ１９を緩めた状態の断面図である。
【符号の説明】
１０…ハウジング、１１…筒状部、１２…ケーブル差し込み口、１３…貫通孔、１４…ターミナル、１５…コンタクト、１６…ねじ孔、１７…ねじ部、１８…鍔部、１９…つまみ、２０…ケーブル取り付けスペース、２１…圧入係止片、２２…端子部、２３…プラグ接続部、２４…バナナプラグ、２６…プラグ挿入口、２７…ベース金具、２８…ねじ孔、２９…ケーブル差し込み口、３０…底板部、３１…加締め部、３２…ケーブル、３３…圧接面、３４…ガイド筒部、３５…ガイド溝、３６…係止爪、３７…ナット、３８…抜け止め係止部、３９…抜け止め係止部、４０…挿入溝、４１…つまみ内筒、４２…小径部、４３…嵌合爪、４４…切り取り溝、４５…蓋。
【図１】
2004127823.tif 000003
【図２】
2004127823.tif 000004
【図３】
2004127823.tif 000005
【図４】
2004127823.tif 000006